(57)【要約】【課題】充分な保温性を確保でき、しかも使用時に温度むらが生じにくい立体キルト式掛け布団を提供する。【解決手段】立体キルト式掛け布団１００は、表側に配置される表布地１０と、表布地１０に対面して、使用者の身体側に配置され、表布地１０との間に、平面視においてマトリックス状に配列される複数の袋状部４０を構成するように、表布地１０に縫い付けられている裏布地２０と、各々の袋状部４０に充填されている羽毛３０と、を備える。各々の袋状部４０が、平面視において四角形をなしている。各々の袋状部４０の平面視における角部分ＣＰに、表布地１０と裏布地２０のうち一方の布地が他方の布地から立ち上がったマチ部２１が、一方の布地によって構成されている。【選択図】図２
0003210469.tif 000002
【実用新案登録請求の範囲】
【請求項１】
表側に配置される表布地と、
前記表布地に対面して、使用者の身体側に配置され、前記表布地との間に、平面視においてマトリックス状に配列される複数の袋状部を構成するように、前記表布地に縫い付けられている裏布地と、
各々の前記袋状部に充填されている保温材と、
を備え、
各々の前記袋状部が、平面視において四角形をなしており、
各々の前記袋状部の平面視における角部分に、前記表布地と前記裏布地のうち一方の布地が他方の布地から立ち上がったマチ部が、前記一方の布地によって構成されている、
立体キルト式掛け布団。
【請求項２】
表側に配置される表布地と、
前記表布地に対面して、使用者の身体側に配置される裏布地と、
前記表布地と前記裏布地との間に介在して両者に縫合され、前記表布地と前記裏布地との間に間隔を確保する高さを有し、前記表布地及び前記裏布地と共に、平面視においてマトリックス状に配置される複数の袋状部を構成するマチ布と、
各々の前記袋状部に充填されている保温材と、
を備え、
各々の前記袋状部が、平面視において四角形をなしており、
各々の前記袋状部の平面視における角部分に、前記表布地と前記裏布地のうち一方の布地が前記マチ布から立ち上がったマチ部が、前記一方の布地によって構成されている、
立体キルト式掛け布団。
【請求項３】
前記マチ部が、前記裏布地によって構成されている、
請求項１又は２に記載の立体キルト式掛け布団。
【請求項４】
前記マチ部が、タックによって構成されている、
請求項１から３のいずれか１項に記載の立体キルト式掛け布団。
【考案の詳細な説明】
【技術分野】
【０００１】
本考案は、立体キルト式掛け布団に関する。
【背景技術】
【０００２】
特許文献１に開示されるように、相対向して配置される表布地と裏布地とを、両者によって複数の袋状部が構成されるように縫い合わせ、かつ各々の袋状部に羽毛を充填してなる立体キルト式掛け布団が知られている。各々の袋状部は、平面視で四角形をなす。
【先行技術文献】
【特許文献】
【０００３】
【特許文献１】特開２００６−２９６４８０号公報
【考案の概要】
【考案が解決しようとする課題】
【０００４】
上記従来の立体キルト式掛け布団においては、各々の袋状部の平面視における四隅部分に、充分な量の羽毛を行き渡らせることが難しい。つまり、各々の袋状部の平面視における四隅部分の羽毛の充填量が、同袋状部の平面視における中央部分に比べて著しく少ない状態となりがちである。このため、保温性が充分であるとは言いがたく、また使用時に温度むらが生じやすい。
【０００５】
本考案は、上記実情に鑑みてなされたものであり、充分な保温性を確保でき、しかも使用時に温度むらが生じにくい立体キルト式掛け布団を提供することを目的とする。
【課題を解決するための手段】
【０００６】
上記目的を達成するために、本考案の第１の観点に係る立体キルト式掛け布団は、
表側に配置される表布地と、
前記表布地に対面して、使用者の身体側に配置され、前記表布地との間に、平面視においてマトリックス状に配列される複数の袋状部を構成するように、前記表布地に縫い付けられている裏布地と、
各々の前記袋状部に充填されている保温材と、
を備え、
各々の前記袋状部が、平面視において四角形をなしており、
各々の前記袋状部の平面視における角部分に、前記表布地と前記裏布地のうち一方の布地が他方の布地から立ち上がったマチ部が、前記一方の布地によって構成されている。
【０００７】
本考案の第２の観点に係る立体キルト式掛け布団は、
表側に配置される表布地と、
前記表布地に対面して、使用者の身体側に配置される裏布地と、
前記表布地と前記裏布地との間に介在して両者に縫合され、前記表布地と前記裏布地との間に間隔を確保する高さを有し、前記表布地及び前記裏布地と共に、平面視においてマトリックス状に配置される複数の袋状部を構成するマチ布と、
各々の前記袋状部に充填されている保温材と、
を備え、
各々の前記袋状部が、平面視において四角形をなしており、
各々の前記袋状部の平面視における角部分に、前記表布地と前記裏布地のうち一方の布地が前記マチ布から立ち上がったマチ部が、前記一方の布地によって構成されている。
【０００８】
前記マチ部が、前記裏布地によって構成されていてもよい。
【０００９】
前記マチ部が、タックによって構成されていてもよい。
【考案の効果】
【００１０】
本考案の第１及び第２の観点に係る立体キルト式掛け布団によれば、各々の袋状部の平面視における角部分に、表布地と裏布地のうち一方の布地が立ち上がったマチ部が構成されているため、角部分にも保温材を充分に行き渡らせることができる。このため、充分な保温性を確保でき、しかも使用時に温度むらが生じにくい。
【図面の簡単な説明】
【００１１】
【図１】（Ａ）は実施形態１に係る立体キルト式掛け布団の表側の外観を示す斜視図、（Ｂ）は同立体キルト式掛け布団の身体側の外観を示す斜視図。
【図２】（Ａ）は図３（Ａ）のＸ−Ｘ線の位置における断面図、（Ｂ）は図３（Ｂ）のＹ−Ｙ線の位置における断面図。
【図３】（Ａ）は実施形態１に係る立体キルト式掛け布団の袋状部を示す底面図、（Ｂ）は比較例に係る立体キルト式掛け布団の袋状部を示す底面図。
【図４】（Ａ）は実施形態１に係る立体キルト式掛け布団の身体側における袋状部を示す写真、（Ｂ）は同身体側において４つの袋状部が隣接する部分を拡大して示す写真。
【図５】実施形態１に係る立体キルト式掛け布団の袋状部を示す概念図。
【図６】実施形態２に係る立体キルト式掛け布団のマチ布を示す斜視図。
【図７】実施形態２に係る立体キルト式掛け布団の断面図。
【考案を実施するための形態】
【００１２】
以下、図面を参照し、本考案の一実施形態に係る立体キルト式掛け布団について説明する。図中、同一又は対応する部分に同一の符号を付す。
【００１３】
［実施形態１］
図１（Ａ）に示すように、本実施形態に係る立体キルト式掛け布団１００は、表側に配置される表布地１０と、表布地１０に対面して、使用者の身体側に配置される裏布地２０とを備える。裏布地２０は、表布地１０との間に、複数の袋状部４０を構成するように、表布地１０に縫い付けられている。袋状部４０は、平面視においてマトリックス状に配列されている。各々の袋状部４０は、平面視で四角形をなしている。
【００１４】
図１（Ｂ）に示すように、袋状部４０の、使用者の身体側への膨らみは、同袋状部４０の表側への膨らみよりも大きい。なお、図１（Ａ）及び（Ｂ）には、袋状部４０が長さ方向に６行、幅方向に５列配列された構成を例示するが、袋状部４０の配列数は特に限定されない。
【００１５】
図２（Ａ）に示すように、本実施形態においては、裏布地２０は、いわゆるマチ布を介することなく、直接に表布地１０に縫い付けられている。また、各々の袋状部４０には、保温材としての羽毛３０が充填されている。
【００１６】
なお、袋状部４０に充填する保温材は、保温性を有するものであれば特に限定されない。保温材として、羽毛３０に代えて、又は羽毛３０と共に、羽根、羊毛、真綿、木綿、及び化学繊維からなる群より選択される１種以上を用いることもできる。
【００１７】
表布地１０は平坦に延在しており、裏布地２０が表布地１０に対してたるみをもたせて縫い付けられている。つまり、袋状部４０は、図１（Ｂ）にも示したように、使用者の身体側に凸状に膨らんでいる。このため、使用時に、使用者の身体と立体キルト式掛け布団１００との間に隙間が生じにくい。
【００１８】
そして、本実施形態に係る立体キルト式掛け布団１００は、各々の袋状部４０の平面視における角部分ＣＰに、裏布地２０が表布地１０から使用者の身体側に立ち上がったマチ部２１が、裏布地２０によって構成されている点を最大の特徴としている。
【００１９】
以下、このマチ部２１の意義を明らかにするために、まず比較例に係る構成について説明する。
【００２０】
図３（Ｂ）に示すように、比較例に係る立体キルト式掛け布団９００は、個々の袋状部４０’の、平面視において角部分と角部分とをつなぐ辺の中間部分に形成されたタックＴＫ’を有する。
【００２１】
図２（Ｂ）に、図３（Ｂ）のＹ−Ｙ線の位置における断面図を示す。図示のように、上述したタックＴＫ’を形成したことで、表布地１０’に対して裏布地２０’にたるみをもたせることができ、袋状部４０’の平面視における中央部分においては、充分な量の羽毛３０’を確保できる。
【００２２】
しかし、袋状部４０’の平面視における角部分ＣＰ’においては、表布地１０’に対する裏布地２０’のたるみを充分に確保することができず、角部分ＣＰ’における羽毛３０’の充填量が、同袋状部４０’の平面視における中央部分に比べて著しく少ない。また、使用に伴って、角部分ＣＰ’から中央部分へ羽毛３０’が移動する偏りが生じやすい。このため、保温性が充分とは言いがたく、また使用時に温度むらが生じやすい。
【００２３】
以上説明した比較例をふまえ、以下、本実施形態に係る立体キルト式掛け布団１００の説明に戻る。
【００２４】
図３（Ａ）及び図４（Ａ）に示すように、本実施形態に係る立体キルト式掛け布団１００は、タックＴＫを有する点では比較例と共通するが、タックＴＫが、各々の袋状部４０の平面視における角部分ＣＰに形成されている点で、比較例とは異なる。各々のタックＴＫは、平面視において、袋状部４０の対角線の方向に延びるように形成されている。
【００２５】
図４（Ｂ）に拡大して示すように、裏布地２０を表布地１０の面内方向に引っ張ったとき、４つの袋状部４０の角部分ＣＰが隣接する部分において、４つのタックＴＫが四つ葉のクローバ状を呈する。各々のタックＴＫは、袋状部４０の内方に折込まれた折り込み部ＴＫａを有する。なお、折り込み部ＴＫａは、図２（Ａ）にも示されている。
【００２６】
図５及び図２（Ａ）に示すように、タックＴＫが、各々の袋状部４０の平面視における角部分ＣＰにおいて、裏布地２０を表布地１０から使用者の身体側に立ち上がらせるマチ部２１を構成している。
【００２７】
このため、図２（Ｂ）に示した比較例とは異なって、角部分ＣＰにおいても、表布地１０に対する裏布地２０のたるみを充分に確保できる。従って、角部分ＣＰにも、充分な量の羽毛３０を充填でき、また角部分ＣＰから中央部分への羽毛３０の移動が生じにくい。このため、本実施形態に係る立体キルト式掛け布団１００によれば、充分な保温性を確保でき、しかも使用時に温度むらが生じにくい。
【００２８】
［実施形態２］
上記実施形態１では、裏布地２０が表布地１０に直接的に縫い付けられていたが、両者の間にマチ布を介在させてもよい。以下、その具体例について説明する。
【００２９】
図６に示すように、本実施形態２で用いるマチ布５０は、帯状のマチテープ５０ａ〜５０ｉを、格子状に組んだ構造を有する。その格子の配列は、図１に示した袋状部４０のマトリック状の配列と対応する。マチテープ５０ａ〜５０ｉの各々の幅方向は、マチ布５０の高さ方向に等しい。
【００３０】
図７に示すように、本実施形態に係る立体キルト式掛け布団２００は、マチ布５０を上下から表布地１０と裏布地２０とで挟み、マチ布５０と表布地１０、及びマチ布５０と裏布地２０とを縫合した構成を有する。つまり、裏布地２０は、マチ布５０を介して表布地１０に縫い付けられている。マチ布５０が、表布地１０及び裏布地２０と共に、袋状部４１を構成している。
【００３１】
各々の袋状部４１の平面視における角部分ＣＰに、裏布地２０が使用者の身体側にマチ布５０から立ち上がったマチ部２１が、裏布地２０によって構成されている。
【００３２】
本実施形態２に係る立体キルト式掛け布団２００によれば、マチ布５０を用いたことにより、実施形態１に係る立体キルト式掛け布団１００よりも、マチ布５０の高さの分だけ袋状部４１の高さを高くできる。袋状部４１の角部分ＣＰの高さも、マチ布５０の高さの分だけ高くなる。
【００３３】
このため、実施形態１に比べて、より多くの羽毛３０を角部分ＣＰに充填できる。このため、実施形態１に比べて、より充分な保温性を確保でき、しかも使用時の温度むらがいっそう生じにくい。
【００３４】
以上、本考案の実施形態について説明したが、本考案はこれに限られない。上記実施形態１では、裏布地２０を表布地１０から立ち上がらせ、上記実施形態２では、裏布地２０をマチ布５０から立ち上がらせたが、表布地１０を裏布地２０又はマチ布５０から、表側に立ち上がらせてもよい。
【００３５】
上記実施形態は、本考案を説明するためのものであり、本考案の範囲を限定するものではない。本考案の範囲は、実施形態ではなく、実用新案登録請求の範囲によって示される。実用新案登録請求の範囲内及びそれと同等の考案の意義の範囲内で施される様々な変形が、本考案の範囲内とみなされる。
【符号の説明】
【００３６】
１０，１０’…表布地、
２０，２０’…裏布地、
２１…マチ部、
３０，３０’…羽毛（保温材）、
４０，４０’，４１…袋状部、
５０…マチ布、
５０ａ〜５０ｉ…マチテープ、
１００，２００，９００…立体キルト式掛け布団、
ＣＰ，ＣＰ’ …角部分、
ＴＫ，ＴＫ’…タック、
ＴＫａ…折り込み部。
【図１】
0003210469.tif 000003
【図２】
0003210469.tif 000004
【図３】
0003210469.tif 000005
【図４】
0003210469.tif 000006
【図５】
0003210469.tif 000007
【図６】
0003210469.tif 000008
【図７】
0003210469.tif 000009